【手続補正書】
【提出日】平成18年1月16日(2006.1.16)
【手続補正１】
【補正対象書類名】明細書
【補正対象項目名】特許請求の範囲
【補正方法】変更
【補正の内容】
【特許請求の範囲】
【請求項１】  通信ネットワークを形成する少なくとも一つの端末と少なくとも一つのカードタイプ・サーバとを備え、前記サーバ側で非個人カード識別子を登録し、前記端末側で非個人カードを発行するための取引システムであって、前記システムがカードタイプ登録を実行するためのものであり、
（ａ）前記端末内で未発行のカードタイプを受け取るための手段と、
（ｂ）前記端末内で非個人カード識別子を発生させるための手段と、
（ｃ）前記端末内で未発行のカードタイプに暗号化登録コードを印刷するための手段と、
（ｄ）カードタイプ・サーバに前記非個人カード識別子を送信するための手段と、
（ｅ）個別データファイル・レコードを作成して、前記カードタイプ・サーバのデータベースに前記非個人カード識別子を登録するための手段と、
（ｆ）前記サーバからの命令を送信して、前記端末側で前記カードタイプ取引を認可するための手段とを備える取引システム。
【請求項２】  通信ネットワークを形成する少なくとも一つの端末と少なくとも一つのカードタイプ・サーバとを備え、前記サーバ側で非個人カード識別子を確認し、前記端末側で非個人カードを受諾するための取引システムであって、前記システムがカードタイプ確認を実行するためのものであり、
（ａ）前記端末内で発行済みのカードタイプを受け取るための手段と、
（ｂ）前記発行済みのカードタイプ上の暗号化登録コードを読み取って、前記端末内で非個人カード識別子を生成するための手段と、
（ｃ）カードタイプ・サーバに前記非個人カード識別子を送信するための手段と、
（ｄ）個別データファイル・レコードを突き止めて、前記カードタイプ・サーバのデータベースで前記非個人カード識別子を確認するための手段と、
（ｅ）前記カードタイプ・サーバからの命令を送信して、前記端末側で前記カードタイプ取引を認可するための手段とを備える取引システム。
【請求項３】  請求項１に記載の取引システムにおいて、カードタイプ登録のために、
端末内で個別のユーザの特徴を検出するための手段と、
前記端末内で前記ユーザの特徴から非個人ユーザ識別子を発生させるための手段と、
前記カードタイプ・サーバのデータベースに１組の非個人識別子をデータファイル記録するために前記カードタイプ・サーバに前記非個人カード識別子とユーザ識別子を送信するための手段と、
前記サーバからの命令を送信して、前記端末側で前記カードタイプ取引を認可するための手段とを含む取引システム。
【請求項４】  請求項２に記載の取引システムにおいて、カードタイプ確認のために、
端末内で個別のユーザの特徴を検出するための手段と、
前記端末内で前記ユーザの特徴から非個人ユーザ識別子を生成するための手段と、
前記カードタイプ・サーバ側での受諾のために前記端末に取引価格を入力するための手段と、
前記カードタイプ・サーバのデータベース内の１組の識別子とのデータファイル突合せを行うために前記カードタイプ・サーバに前記非個人カード識別子とユーザ識別子と取引価格とを送信し、前記取引価格を受諾するための手段と、
前記サーバからの命令を送信して、前記端末側で前記カードタイプ取引を認可するための手段とを含む取引システム。
【請求項５】  請求項１又は請求項２に記載の取引システムにおいて、各非個人カード識別子が非個人カードタイプ上での印刷および読取りのための暗号化登録コードであり、前記システムが、個々のユーザに関係なく端末内で前記カード識別子および登録コードを発生及び生成するための手段を含む取引システム。
【請求項６】  請求項３又は請求項４に記載の取引システムにおいて、各非個人カード識別子がライブスキャン画像であり、前記システムが、個々のユーザに関係なく端末内に前記ライブスキャン画像を捕捉するための手段を含む取引システム。
【請求項７】  請求項１から請求項４のいずれか１項に記載の取引システムにおいて、複数端末からなるネットワークがカードタイプ登録およびカードタイプ確認のために複数サーバからなるネットワークと通信し、前記システムが、各非個人カードタイプごとに非個人識別子データを前記カードタイプ・サーバに経路指定するために端末内で未発行および発行済みのカードタイプを識別するための手段を含む取引システム。
【請求項８】  別々の通信ネットワークを形成する複数端末からなるネットワークと複数サーバからなるネットワークとを備え、非個人取引を実行し、前記端末側で非個人識別子を発生させ、カードタイプ登録のために前記サーバ側で前記非個人識別子を記録し、前記端末側で非個人識別子を認可するための取引システムであって、前記システムが非個人取引を実行するためのものであり、
（ａ）端末内で未発行のカードタイプを受け取るための手段と、
（ｂ）前記端末内で非個人カード識別子を発生させるための手段と、
（ｃ）前記端末内で前記未発行のカードタイプに暗号化登録コードを印刷するための手段と、
（ｄ）前記端末内で非個人ユーザ識別子を発生させるための手段と、
（ｅ）前記端末からカードタイプ・サーバに１組の非個人識別子を送信し、個別データファイル・レコードを作成して、前記カードタイプ・サーバのデータベースに前記１組の非個人識別子を登録するための手段と、
（ｆ）前記カードタイプ・サーバから前記端末に命令を送信して、個別のカードおよびユーザに関する前記非個人取引を認可するための手段とを備える取引システム。
【請求項９】  別々の通信ネットワークを形成する複数端末からなるネットワークと複数サーバからなるネットワークとを備え、非個人取引を実行し、前記端末側で非個人識別子を生成し、カードタイプ確認のために前記サーバ側で前記非個人識別子の突合せを行い、前記端末側で非個人識別子を認可するための取引システムであって、前記システムが非個人取引を実行するためのものであり、
（ａ）端末内で発行済みのカードタイプを受け取るための手段と、
（ｂ）前記発行済みのカードタイプ上の暗号化登録コードを読み取って、前記端末内で非個人カード識別子を生成するための手段と、
（ｃ）前記端末内で非個人ユーザ識別子を生成するための手段と、
（ｄ）前記端末側で取引価格を生成するための手段と、
（ｅ）前記端末からカードタイプ・サーバに１組の非個人識別子と一つの取引価格を送信するための手段と、
（ｆ）個別データファイル・レコードを突き止めて、カードタイプ・サーバのデータベースで前記１組の非個人識別子を確認し、前記取引価格を受諾するための手段と、
（ｇ）前記カードタイプ・サーバから前記端末に命令を送信して、個別のカードおよびユーザに関する前記非個人取引を認可するための手段とを備える取引システム。
【請求項１０】  請求項８又は請求項９に記載の取引システムにおいて、各非個人カード識別子が非個人カードタイプ上での印刷および読取りのための暗号化登録コードであり、前記システムが、個々のユーザに関係なく端末内で、前記カード識別子および登録コードを発生させるための手段と前記暗号化コードから前記カード識別子を生成する手段を含む取引システム。
【請求項１１】  請求項８又は請求項９に記載の取引システムにおいて、各非個人カード識別子がライブスキャン画像であり、前記システムが、個々のユーザに関係なく端末内に前記ライブスキャン画像を捕捉するための手段を含む取引システム。
【請求項１２】  請求項８に記載の取引システムにおいて、各非個人カード識別子用の前記暗号化登録コードが、端末内で非個人カードタイプ上で恒久的な記号表示像のコード化及び印刷を行うためにカードタイプ登録の一部を形成する二次元記号表示から構成される取引システム。
【請求項１３】  請求項９に記載の取引システムにおいて、発行されたカードタイプの各々に印刷された暗号化登録コードが端末内の恒久的な記号表示像を読み込みおよび解読するための二次元記号表示から構成される取引システム。
【請求項１４】  請求項８に記載の取引システムにおいて、前記カードタイプ登録が、端末内で非個人カードタイプに恒久的な一連番号、取引価格、または日付を印刷することを含む取引システム。
【請求項１５】  請求項８に記載の取引システムにおいて、前記カードタイプ登録が、端末内で非個人カードタイプに個別の記号および文字からなる恒久的な入力行を印刷及び読取るためのカードタイプ・データを備えた暗号化登録コードを含み、前記システムが、カードタイプ・サーバのデータベースで前記カードタイプ・データを発生させて個別データファイル・レコードを作成し、前記端末に前記カードタイプ・データを送信して前記非個人カードタイプ上に前記登録コードと前記入力行を印刷及び発行するための手段を含む取引システム。
【請求項１６】  請求項８又は請求項９に記載の取引システムにおいて、各発行及び未発行のカードタイプには、授与者を識別し、それにより端末内で非個人カードタイプを識別するための発行者コードが事前印刷され、前記システムが、各非個人カード識別子ごとに前記暗号化登録コード内に前記発行者コードを組み込み、個別データファイル・レコードを作成するか又は突き止めるために前記カードタイプ・サーバを識別するための手段を含む取引システム。
【請求項１７】  請求項８又は請求項９に記載の取引システムにおいて、同じ非個人カード識別子が、データファイル記録のためにカードタイプ・サーバのデータベースに個別のデータファイル・レコードを作成し、データファイル突合せのために前記カードタイプ・サーバのデータベース内の同じ個別データファイル・レコードをつきとめる取引システム。
【請求項１８】  請求項８又は請求項９に記載の取引システムにおいて、各非個人カード識別子が、一つの定数を記録するためのデータファイルを作成するために一定の順番を有し、それにより、同じ一定の順番を備えたすべての非個人カード識別子が２つの定数の突合せを行うために同じデータファイルをつきとめる取引システム。
【請求項１９】  請求項８又は請求項９に記載の取引システムにおいて、各組の識別子のデータファイル記録およびデータファイル突合せを順に行うためにカードタイプ・サーバのデータベース内の個別データファイル・レコードを参照するように、前記非個人カード識別子が前記非個人ユーザ識別子の前に送信される取引システム。
【請求項２０】  請求項８又は請求項９に記載の取引システムにおいて、前記非個人カード識別子およびユーザ識別子が、送信前にコード化され、受信後にデコードされる取引システム。
【請求項２１】  請求項又は請求項９に記載の取引システムにおいて、カードタイプ登録用の各非個人カード識別子およびユーザ識別子がデータファイル記録用の１組の非個人識別子を形成し、カードタイプ確認用の各非個人カード識別子およびユーザ識別子がデータファイル突合せ用の１組の非個人識別子を形成する取引システム。
【請求項２２】  カードタイプ登録のための請求項８に記載の取引システムにおいて、未発行のカードタイプが、カード所有者部分と授与者部分に同じ暗号化登録コードを印刷するために分離可能な二つの部分を備え、前記部分のそれぞれが、そこに前記暗号化登録コードを印刷するための個別のバリヤ領域を含み、前記端末を使用してカードタイプ・サーバのデータベースにデータファイル記録するために前記カード所有者部分が前記システムでのカードタイプ登録のために使用される取引システム。
【請求項２３】  カードタイプ登録又はカードタイプ確認のために、請求項１から請求項２２のいずれか１項に記載の取引システムにおいて使用する取引端末であって、前記端末が、顧客係およびカード所有者による使用のために非個人カード取引を実行できるようになっており、前記端末が、
（ａ）前記端末内で非個人識別子データを生成するためのカード・スキャナおよび生物測定用センサと、
（ｂ）前記端末内で非個人取引データを生成するためのディスプレイおよびキーボードと、
（ｃ）送信のために前記識別子データおよび取引データを順にコンパイルするためのコンピュータおよびデータベースであって、データファイル記録及びデータファイル突合せのためにカードタイプ・サーバに前記識別子および取引データを送信して前記端末側で前記非個人カード取引を認可するための手段とを含む取引端末。
【請求項２４】  請求項２３の端末を有する、カードタイプ登録のための取引端末であって、該取引端末が、顧客係およびカード所有者によって使用されるようになっていて、未発行のカードタイプ上に恒久的なカード登録を印刷し、前記暗号化登録コードを走査するためにカード・プリンタを前記端末内に組み込んでいる、取引端末。
【請求項２５】  請求項２３または請求項２４に記載の取引端末において、前記端末が、販売時点での顧客係およびカード所有者によって使用されるようになっていて、非個人カードタイプを発行及び受諾し、顧客係およびカード所有者の操作のために二重機能端末を提供し、
（ａ）前記販売時点で非個人カード取引を実行するために顧客係が使用するためのキーボードおよびディスプレイと、
（ｂ）前記販売時点で非個人カード取引を是認するためにカード所有者が使用するための生物測定用センサおよびもう一つのディスプレイとを備える、取引端末。
【請求項２６】  カードタイプ確認のために、請求項１から請求項２２のいずれか１項に記載の取引システムにおいて使用される取引端末であって、前記端末がカード所有者によって使用されて非個人カード取引を実行するようになっていて、前記端末が、発行済みのカードタイプを挿入するためのカード・スロットと、１組の非個人識別子を生成するためのカード・スキャナおよび生物測定用センサとを組み込み、データファイル突合せのためにカードタイプ・サーバに前記非個人識別子を送信して前記端末側で前記非個人カード取引を認可するための手段を含む、取引端末。
【請求項２７】  請求項２３から請求項２６のいずれか１項に記載の取引端末であって、前記生物測定用センサが、前記ユーザのライブ・スキャン画像を捕捉できるようになっており、指の爪のあま皮を前記センサの各側面上の見当線と位置合せすることにより前記センサ上に指を位置決めするための案内手段を備える、取引端末。
【請求項２８】  請求項２３から請求項２６のいずれか１項に記載の取引端末であって、前記端末が、前記端末内の第一の停止位置で発行者コードおよび暗号化登録コードを走査及び読取るために、未発行又は発行済みのカードタイプを挿入するための共通の入口および出口スロットを含む、取引端末。
【請求項２９】  カードタイプ登録のための請求項２８に記載の取引端末であって、前記端末が、共通の入口および出口スロットと、前記カードを把握して移送するための係合ローラによってカード・プリンタ内の第一の停止位置と第二の停止位置との間で未発行の非個人カードタイプを運搬して、カードタイプ登録を印刷するために前記第二の停止位置で前記カードを位置決めし、出口スロットから前記カードを除去する前に発行者コードおよび暗号化登録コードを読取るために前記第一の停止位置で前記カードを位置決めするインライン経路とを含む、取引端末。
【請求項３０】  請求項２９に記載の取引端末であって、該取引端末が固定印刷ヘッドと可動プラテンとをさらに備え、前記第二の停止位置において、前記カード上にサーモグラフィによるカードタイプ登録をドットライン印刷するための経路を提供している、取引端末。
【請求項３１】  請求項２９に記載の取引端末であって、前記第二の停止位置でカードタイプ登録を印刷するためにミシン目付きの折り目を持つファンフォールド・フォーマットのカード材料を収容するためのコンパートメントと、前記第一の停止位置で暗号化登録コードを読取るための手段と、端末側で非個人カードタイプを発行するために前記出口スロットで前記カード材料を定量供給して分離する手段とをも含む、取引端末。
【請求項３２】  請求項２３から請求項２５に記載の取引端末であって、追加のスロットを備えた前記端末を拡張するための着脱可能なサイド・パネルも含み、シート状、リール状、またはファンフォールド・フォーマットの種々の材料からできているカードおよびチケットを登録して確認する、取引端末。
【請求項３３】  請求項１から請求項２２のいずれか１項に記載の取引システムで実行されるカードタイプ登録およびカードタイプ確認のために取引端末で使用されるように設計された、又は請求項２３から請求項３２のいずれか１項に記載の取引端末で使用されるように設計された非個人カードであって、前記カードが、サーモグラフィ材料上に形成されたサーモグラフィ画像の退色および摩耗を防止するためにバリヤ層により覆われたサーモグラフィ材料からなる一つの層を含む多層材料を備え、前記サーモグラフィ材料が、暗号化登録コードを取り入れたカードタイプ登録をそこに印刷及び読取るために個別のバリヤ領域内に配置されている非個人カード。
【請求項３４】  請求項３３に記載の非個人カードにおいて、前記材料は一つの層上にカードタイプ解説が機械印刷され、これとは別に、前記材料はもう一つの層上にカードタイプ登録が端末印刷されている、非個人カード。
【請求項３５】  請求項３３に記載の非個人カードにおいて、前記材料が、端末において前記第二の停止位置で前記個別のバリヤ領域内の前記材料に暗号化登録コードの恒久的画像を印刷し、前記第一の停止位置で前記画像をデコードし前記コードを暗号化するために、サーモグラフィ印刷するための多数の層として構築されている、非個人カード。
【請求項３６】  請求項３３に記載の非個人カードにおいて、前記個別のバリヤ領域内の前記材料が、感温性を持つ基板層と、前記基板層に塗布され耐光性および耐摩耗性を持ち、その上にカードタイプ登録を印刷するバリヤ層とを含む二つの層から構築されている、非個人カード。
【請求項３７】  請求項３３に記載の非個人カードにおいて、前記個別のバリヤ領域が、カードタイプ登録を印刷するために熱化学反応または熱変色反応により状態を変化させることができる非個人カード。
【請求項３８】  請求項３３に記載の非個人カードにおいて、前記バリヤ層が、前記バリヤ層上に前記情報を端末印刷するためにインキによる保護コーティングを付着させるために機械印刷により前記基板層に塗布されている、非個人カード。
【請求項３９】  請求項３３に記載の非個人カードにおいて、前記材料が、基板層と、前記基板層に塗布され感温性および接着性を持つ感熱層と、カードタイプ解説を機械印刷するためおよびカードタイプ登録を端末印刷するために前記感熱層に塗布されたバリヤ層とを含む三つの層から構築されている、非個人カード。
【請求項４０】  請求項３３に記載の非個人カードにおいて、前記材料が、各面上にカードタイプ解説を機械印刷するための基板層と、前記基板層の一方の面に固着するために接着性を持つ透明フィルム層と、前記基板層のもう一方の面に固着するためにフィルムの一方の側で接着性を持つ透明フィルム層と、カードタイプ登録を端末印刷するための、前記フィルムのもう一方の側の個別のバリヤ領域内にある塗布感熱層およびバリヤ層とを含む四つまたは五つの層から構築された積層板である、非個人カード。
【請求項４１】  請求項４０に記載の非個人カードにおいて、前記透明フィルム層上の前記個別のバリヤ領域が、前記感熱層およびバリヤ層を機械コーティングして個別の感熱パネルに事前印刷の積層材料を設け、耐摩耗性および耐光性を持つカードタイプ登録をその上に端末印刷するために表面処理されている、非個人カード。
【請求項４２】  請求項３３から請求項４１のいずれか１項に記載の非個人カードにおいて、前記材料が、カード、チケット、トークン、書式またはカードタイプ登録用の類似のものとして、端末発行用の単一品目として製造されている、非個人カード。
【請求項４３】  請求項３３から請求項４１のいずれか１項に記載の非個人カードにおいて、前記材料が、カード、チケット、トークン、書式またはカードタイプ登録用の類似のものとして、端末発行用のファンフォールド・フォーマットで製造されている、非個人カード。
【請求項４４】  請求項３３から請求項４１のいずれか１項に記載の非個人カードにおいて、前記材料が、カードタイプ登録のために二つの部分またはファンフォールド部分を含む単一品目を提供するために、間隔を空けたミシン目付きの形で製造されている、非個人カード。
【請求項４５】  請求項３３から請求項４１のいずれか１項に記載の非個人カードにおいて、前記材料が、その表面および裏面上にカードタイプ解説が機械印刷され、その表面または裏面上にカードタイプ情報が端末印刷されている、非個人カード。
【請求項４６】  請求項３３から請求項４１のいずれか１項に記載の非個人カードにおいて、前記材料が、その表面および裏面上にカードタイプ情報を機械印刷するためにテキスト・ゾーンおよびコード・ゾーンを形成するための不透明なバリヤ領域を含んでいる、非個人カード。
【請求項４７】  請求項３３から請求項４１のいずれか１項に記載の非個人カードにおいて、前記バリヤ層が、カードタイプ登録またはカードタイプ確認のために、偽造材料を検出するためのセンサ可読特性を持つ材料を組込んでいる、非個人カード。